(57)【要約】      （修正有）【課題】ゴルフボールケースにパッティング練習機能をもたせた、携帯性が高いパッティング練習具を提供する。【解決手段】ゴルフボールケース１を略矩形状の四つの長尺壁部４から構成された筒状部１３と、筒状部１３の両端の開口部を閉塞する側壁部９及び側壁部１０と、で構成する。一つの長尺壁部４には、ゴルフボールケース１の短手方向に沿って折り線部１４、１４を二つ形成する。他の長尺壁部には、ゴルフボールケース１の短手方向に沿って切り込み部１５、１５を二つ形成する。切り込み部１５、１５を切断するとともに、折り線部１４、１４を屈曲させ、一対の柱部１６、１６と梁部１７を形成する。設置面に側壁部９及び側壁部１０が接するように配置して通路１９を形成する。【選択図】図３
0003156160.tif 000002
【実用新案登録請求の範囲】
【請求項１】
略矩形状の四つの長尺壁部から構成された四角筒状の筒状部と、
該筒状部の両端の開口部を閉塞する一対の側壁部と、を備えたゴルフボールケースであって、
該筒状部には、該筒状部を周方向に沿って一周する線形成部が少なくとも二つ形成され、
各該線形成部は、一の該長尺壁部に形成された折り線部と、該折り線部が形成されていない他の該長尺壁部を経由して該折り線部の両端を連結する切り込み部と、から構成され、
二つの該線形成部の該切り込み部を切断するとともに該折り線部を屈曲させて、該筒状部の両端部と一対の該側壁部からなる一対の柱部と、該筒状部の中央部からなり一対の該柱部を連結する梁部と、を形成して、一対の該柱部を設置面と接するように配置することにより、一対の該柱部の間にゴルフボールが通過する通路が形成されることを特徴とするゴルフボールケース。
【請求項２】
該筒状部が、分割された、四角筒状の内側筒状部と、該内側筒状部に外嵌される四角筒状の外側筒状部と、を備えて摺動可能に形成され、
一つの該線形成部が該内側筒状部に形成され、一つの該線形成部が該外側筒状部に形成され、
該梁部が、該内側筒状部及び該外側筒状部の摺動部分で構成されることを特徴とする請求項１記載のゴルフボールケース。
【請求項３】
該筒状部が、分割可能に形成された四角筒状の第１の筒状部及び第２の筒状部と、該第１の筒状部及び該第２の筒状部に対して外嵌又は内嵌される第３の筒状部と、を備えて摺動可能に形成され、
一つの該線形成部が該第１の筒状部に形成され、一つの該線形成部が該第２の筒状部に形成され、
該梁部が、該第１の筒状部及び該第２の筒状部と、該第３の筒状部との摺動部分で構成されることを特徴とする請求項１記載のゴルフボールケース。
【請求項４】
該筒状部に、該線形成部が三つ以上形成されていることを特徴とする請求項１、２又は３記載のゴルフボールケース。
【請求項５】
四つの該長尺壁部のうちの対向する一対の該長尺壁部の長手方向における両端部に、それぞれ内フラップが連接され、
一対の該側壁部は、該内フラップが連接されていない該長尺壁部のうちの一つの該長尺壁部の長手方向における両端部に連接され、又は、一方の該側壁部が、該内フラップが連接されていない該長尺壁部のうちの一つの該長尺壁部の長手方向における一端部に連接されるとともに、他方の該側壁部が、該内フラップが連接されていない該長尺壁部のうちの他の該長尺壁部の長手方向における他端部に連接され、
各該側壁部には、該側壁部が連接された該長尺壁部の短手方向に沿って、底面形成線が設けられ、
各該側壁部の該長尺壁部に連接されていない側の端部に、タックが連接され、
各該内フラップには、該内フラップが連接された該長尺壁部の短手方向に沿って高さ調整線が設けられ、
各該側壁部を、該側壁部が連接された該長尺壁部と略面一に配置して、該底面形成線を折り曲げ各該側壁部及び該タックで突出底面部を形成するとともに、各該内フラップを該内フラップが連接された各該長尺壁部と略面一に配置して、該高さ調整線を折り曲げ、該突出底面部を支持する突出底面支持部を形成して、該突出底面支持部と、該突出底面部と、を係止することで、突出部が形成されることを特徴とする請求項１、２、３又は４記載のゴルフボールケース。
【請求項６】
各該切り込み部が、ミシン目又はスリットで形成されることを特徴とする請求項１、２、３、４又は５記載のゴルフボールケース。
【考案の詳細な説明】
【技術分野】
【０００１】
本考案は、ゴルフ場や自宅で手軽にパッティングの練習することができる機能を有するゴルフボールケースに関するものである。
【背景技術】
【０００２】
従来、持ち運びができるパッティング練習具として特許文献１に記載されたものがあった。
【０００３】
これによると、パッティング練習具は、アーチ形状に形成されたアーチ枠と、該アーチ枠の両端に設けられた錘台と、該アーチ枠の中央部に係止された止め金と、該止め金に固定されて吊下された細い針金と、該針金の下端に配設された効果音パイプと、該アーチ枠の両端下部に該コイルばねを介して装着された反発ネットと、を有して構成されていた。
【先行技術文献】
【特許文献】
【０００４】
【特許文献１】特開２００９−１８１４０号公報
【考案の概要】
【考案が解決しようとする課題】
【０００５】
しかし、上記に示す従来のパッティング練習具は、長さ２５０ｍｍ高さ１００ｍｍでアーチ枠の両端にダイキャスト等の重たいもので形成されていた。片手で持てる大きさではあるが、ゴルフ場で携帯するには大きく重いという問題があった。
【０００６】
本考案は、上記事情に鑑み、ゴルフボールケースにパッティング練習機能をもたせることにより、携帯性の高いパッティング練習具を提供することを目的とする。
【課題を解決するための手段】
【０００７】
請求項１記載の考案のゴルフボールケースでは、略矩形状の四つの長尺壁部から構成された四角筒状の筒状部と、
該筒状部の両端の開口部を閉塞する一対の側壁部と、を備えたゴルフボールケースであって、
該筒状部には、該筒状部を周方向に沿って一周する線形成部が少なくとも二つ形成され、
各該線形成部は、一の該長尺壁部に形成された折り線部と、該折り線部が形成されていない他の該長尺壁部を経由して該折り線部の両端を連結する切り込み部と、から構成され、
二つの該線形成部の該切り込み部を切断するとともに該折り線部を屈曲させて、該筒状部の両端部と一対の該側壁部からなる一対の柱部と、該筒状部の中央部からなり一対の該柱部を連結する梁部と、を形成して、一対の該柱部を設置面と接するように配置することにより、一対の該柱部の間にゴルフボールが通過する通路が形成されることを特徴とする。
【０００８】
請求項２記載の考案のゴルフボールケースでは、該筒状部が、分割された、四角筒状の内側筒状部と、該内側筒状部に外嵌される四角筒状の外側筒状部と、を備えて摺動可能に形成され、
一つの該線形成部が該内側筒状部に形成され、一つの該線形成部が該外側筒状部に形成され、
該梁部が、該内側筒状部及び該外側筒状部の摺動部分で構成されることを特徴とする。
【０００９】
請求項３記載の考案のゴルフボールケースでは、該筒状部が、分割可能に形成された四角筒状の第１の筒状部及び第２の筒状部と、該第１の筒状部及び該第２の筒状部に対して外嵌又は内嵌される第３の筒状部と、を備えて摺動可能に形成され、
一つの該線形成部が該第１の筒状部に形成され、一つの該線形成部が該第２の筒状部に形成され、
該梁部が、該第１の筒状部及び該第２の筒状部と、該第３の筒状部との摺動部分で構成されることを特徴とする。
【００１０】
請求項４記載の考案のゴルフボールケースでは、該筒状部に、該線形成部が三つ以上形成されていることを特徴とする。
【００１１】
請求項５記載の考案のゴルフボールケースでは、四つの該長尺壁部のうちの対向する一対の該長尺壁部の長手方向における両端部に、それぞれ内フラップが連接され、
一対の該側壁部は、該内フラップが連接されていない該長尺壁部のうちの一つの該長尺壁部の長手方向における両端部に連接され、又は、一方の該側壁部が、該内フラップが連接されていない該長尺壁部のうちの一つの該長尺壁部の長手方向における一端部に連接されるとともに、他方の該側壁部が、該内フラップが連接されていない該長尺壁部のうちの他の該長尺壁部の長手方向における他端部に連接され、
各該側壁部には、該側壁部が連接された該長尺壁部の短手方向に沿って、底面形成線が設けられ、
各該側壁部の該長尺壁部に連接されていない側の端部に、タックが連接され、
各該内フラップには、該内フラップが連接された該長尺壁部の短手方向に沿って高さ調整線が設けられ、
各該側壁部を、該側壁部が連接された該長尺壁部と略面一に配置して、該底面形成線を折り曲げ各該側壁部及び該タックで突出底面部を形成するとともに、各該内フラップを該内フラップが連接された各該長尺壁部と略面一に配置して、該高さ調整線を折り曲げ、該突出底面部を支持する突出底面支持部を形成して、該突出底面支持部と、該突出底面部と、を係止することで、突出部が形成されることを特徴とする。
【００１２】
請求項６記載の考案のゴルフボールケースでは、各該切り込み部が、ミシン目又はスリットで形成されることを特徴とする。
【考案の効果】
【００１３】
請求項１記載の考案では、ゴルフボールケースを折り曲げるだけで、ゴルフボールが通過する通路を形成することができるので、ゴルフ場や、自宅、職場等で場所を選ばずに、パッティングの練習をすることができる。また、ゴルフボールケースを利用するものであるので、携帯性に優れている。
【００１４】
請求項２記載の考案では、梁部を外側摺動部と、内側摺動部と、に分割して摺動可能に形成することにより、通路を形成する際、梁部の長さを変更することができるようになる。よって、通路の幅を調節することが可能となり、競技レベルに応じたパッティングの練習をすることができる。
【００１５】
請求項３記載の考案では、梁部を第１の摺動部及び第２の摺動部と、第１の摺動部と、第２の摺動部と、を連結してそれらに外嵌又は内嵌される第３の筒状部と、に分割して摺動可能に形成することにより、通路を形成する際、梁部の長さを変更することができるようになる。よって、通路の幅を調節することが可能となり、競技レベルに応じたパッティングの練習をすることができる。
【００１６】
請求項４記載の考案では、切断する切り込み部と、屈曲させる折り線部と、を選択することにより、柱部と梁部の長さを変更することができるようになる。よって、通路の幅及び高さが調節可能となり、設置面の起伏に応じてパッティングの練習をすることができる。
【００１７】
請求項５記載の考案では、一対の柱部に設置面方向に突出する突出部が形成されるので、通路の高さを高くできる。よって、ゴルフボールが入りやすくなり競技レベルに応じたパッティングの練習をすることができる。
【００１８】
請求項６記載の考案では、切り込み部が、ミシン目又はスリットで形成されるため、通路を形成する前におけるゴルフボールケースの強度を確保することができる。
【図面の簡単な説明】
【００１９】
【図１】本考案の第１の実施形態のゴルフボールケースの（ａ）包装時の状態図、（ｂ）（ａ）を反対側から見た状態図である。
【図２】本考案の第１の実施形態のゴルフボールケースの展開図である。
【図３】本考案の第１の実施形態のゴルフボールケースの通路を形成した時の状態図である。
【図４】本考案の第２の実施形態のゴルフボールケースの（ａ）内側筒状部の斜視図、（ｂ）外側筒状部の斜視図、（ｃ）内側筒状部と外側筒状部とを嵌合させた状態図である。
【図５】本考案の第２の実施形態のゴルフボールケースの（ａ）外側筒状部に柱部を形成した状態図、（ｂ）内側筒状部に柱部を形成した状態図である。
【図６】本考案の第２の実施形態のゴルフボールケースの（ａ）通路の幅を広くした状態図、（ｂ）通路の幅を狭くした状態図である。
【図７】本考案の第３の実施形態のゴルフボールケースの包装時の状態図である。
【図８】本考案の第３の実施形態のゴルフボールケースの斜視図である。
【図９】本考案の第３の実施形態のゴルフボールケースの（ａ）第１の摺動部と第２の摺動部を形成した状態図、（ｂ）第３の摺動部の斜視図、である。
【図１０】本考案の第３の実施形態のゴルフボールケースの第１の摺動部及び第２の摺動部を第３の摺動部で外嵌した状態図である。
【図１１】本考案の第３の実施形態のゴルフボールケースの第１の摺動部及び第２の摺動部で第３の摺動部を外嵌した状態図である。
【図１２】本考案の第４の実施形態のゴルフボールケースの（ａ）包装時の状態図、（ｂ）（ａ）を反対側から見た状態図である。
【図１３】本考案の第４の実施形態のゴルフボールケースの展開図である。
【図１４】本考案の第４の実施形態のゴルフボールケースの正面図である。
【図１５】本考案の第４の実施形態のゴルフボールケースの羽根部を開いていない状態図である。
【図１６】本考案の第４の実施形態のゴルフボールケースの羽根部を開いた状態の斜視図である。
【図１７】本考案の第４の実施形態のゴルフボールケースで通路を形成した状態図である。
【図１８】本考案の第４の実施形態のゴルフボールケースの突出部の底面図である。
【図１９】本考案の第４の実施形態のゴルフボールケースの突出部の変形例の部分展開図である。
【図２０】本考案の第４の実施形態のゴルフボールケースの突出部の変形例の平面図である。
【考案を実施するための形態】
【００２０】
本考案のゴルフボールケースの第１の実施形態について図面に基づいて説明する。
【００２１】
ゴルフボールケース（以下、「ケース」という。）１は、図１（ａ）、（ｂ）に示すとおり、打ち抜いたブランクシート２（図２参照）を図示しない製函機によって、後述する罫線３（図２参照）を折りたたんで後述する接着部８（図２参照）で接着することで形成される。
【００２２】
ブランクシート２は、図２に示すとおり、一体に連接される長尺壁部４、５、６、７と、長尺壁部４の短手方向の一端に連接される接着部８と、長尺壁部６の長手方向における両端部に連接される側壁部９及び側壁部１０と、側壁部９及び側壁部１０の長尺壁部６に連接されない側の端部にそれぞれ連接されるタック１１、１１と、長尺壁部５、７の長手方向における両端部に連接される内フラップ１２、１２、１２、１２と、で構成され、それぞれの連接する境界には、罫線３が形成されている。
【００２３】
ケース１は、図１（ａ）、（ｂ）に示すとおり、略矩形状の四つの長尺壁部４、５、６、７から構成された四角筒状の筒状部１３と、筒状部１３の両端の開口部を閉塞する一対の側壁部９及び側壁部１０と、を備えて構成されている。
【００２４】
筒状部１３には、図１（ａ）、（ｂ）、図２に示すとおり、筒状部１３を周方向に沿って一周する線形成部３４が二つ形成されている。
【００２５】
各線形成部３４は、長尺壁部４に形成された折り線部１４と、折り線部１４が形成されていない他の長尺壁部５、６、７を経由して折り線部１４の両端を連結する切り込み部１５と、から構成されている。線形成部３４は、長尺壁部４、５、６、７を長手方向に三等分するように設けるのが望ましい。
【００２６】
以上の構成のケース１の使用方法を以下に説明する。
【００２７】
図１（ａ）、（ｂ）、図３に示すように、ゴルフボール１８の入ったケース１の図示しない外包装を外し、ケース１の側壁部９及び側壁部１０側の端部を左右の手でそれぞれ持ち、ミシン目で形成された切り込み部１５、１５を切断する。折り線部１４、１４を長尺壁部４の両端部が対向するように屈曲させ、筒状部１３の両端部と一対の側壁部９及び側壁部１０からなる一対の柱部１６、１６と、筒状部１３の中央部からなり一対の柱部１６、１６を連結する梁部１７と、を形成する。一対の柱部１６、１６の側壁部９及び側壁部１０を設置面と接するように配置することにより、一対の柱部１６、１６の間にゴルフボール１８が通過する通路１９が形成される。ここで「設置面」とは、ゴルフボールケースを設置する地面又は床面を言う。
【００２８】
ケース１からゴルフボール１８を取出し、設置面に設置したケース１からパッティング練習に適切な距離まで離れ、パターを持ち、通路１９を狙ってゴルフボール１８を打つことによりパッティング練習を行なう。なお、一対の柱部１６にゴルフボール１８を入れて錘とすることにより、ケース１を安定して設置面に設置することができる。
【００２９】
本実施形態のケース１は、既存のゴルフボールケースを改良したものであり、ケース１を折り曲げるだけで、ゴルフボール１８が通過する通路１９を形成することができるので、ゴルフ場や、自宅、職場等で場所を選ばずに、パッティングの練習をすることができる。また、ゴルフボールケースを利用するものであるので、他の用具を持っていく必要がなくなり、携帯性に優れ収納にも困ることなく、使用後には、ゴミとして捨てることもできる。
【００３０】
本実施形態では、側壁部９及び側壁部１０は、長尺壁部６に連接され、長尺壁部６に隣接する長尺壁部５、７に内フラップ１２が連接されているが、これらにはこだわらない。例えば、他の長尺壁部４、５、７のいずれかに側壁部９及び側壁部１０を連接させて、その連接するいずれかの長尺壁部に隣接する長尺壁部に内フラップ１２を連接させてもよい。また、接着部８を長尺壁部７と連接させてもよい。
【００３１】
次に本考案の第２の実施形態について説明する。以下の説明では、第１の実施形態と共通する構成については、同じ符号を付するものとする。図４（ａ）、（ｂ）、（ｃ）、に示すとおり、ケース１ａは、筒状部１３が、四角筒状の内側筒状部２１と、内側筒状部２１に外嵌される四角筒状の外側筒状部２０と、に分割されて摺動可能に構成されている。外側筒状部２０及び内側筒状部２１には、線形成部３４がそれぞれ形成されている。外側筒状部２０は、図５（ａ）に示すとおり、後述する折り線部１４を屈曲させる際には線形成部３４を境界にして、側壁部９側に形成される柱部１６と、開口部側に形成される外側摺動部２２と、で構成される。内側筒状部２１は、図５（ｂ）に示すとおり、後述する折り線部１４を屈曲させる際には線形成部３４を境界にして、側壁部１０側に形成される柱部１６と、開口部側に形成される内側摺動部２３と、で構成される。梁部１７ａは、図６（ａ）、（ｂ）に示すとおり、内側摺動部２３と、内側摺動部２３に外嵌されて内側摺動部２３に対して摺動可能な外側摺動部２２と、に分割して構成されている。
【００３２】
以上の構成のケース１ａの使用方法を以下に説明する。
【００３３】
図４（ｃ）に示すとおり、ケース１ａは、内側筒状部２１に外側筒状部２０が外嵌された状態で、包装されている。まず、図示しない外包装をとった後、嵌合されている外側筒状部２０と内側筒状部２１とを手で持ち、それぞれに形成された各切り込み部１５を切断可能な位置まで摺動させる。
【００３４】
次に、第１の実施形態と同様にして、図６（ａ）、（ｂ）に示すように、ケース１ａの側壁部９及び側壁部１０側の端部を左右の手でそれぞれ持ち、ミシン目で形成された切り込み部１５を切断する。折り線部１４、１４を長尺壁部４の両端部が対向するように屈曲させて、一対の柱部１６、１６と、梁部１７ａと、を形成するとともに、通路１９ａを形成する。さらに、梁部１７ａの外側摺動部２２と内側摺動部２３と、を摺動させて通路１９ａの幅をパッティング練習に適切な長さに形成して、設置面に設置する。パッティング練習が終わったら、上述した手順の逆の手順でケース１ａ状態に戻してもよいし、ゴミとして捨ててもよい。
【００３５】
本実施形態のケース１ａは、梁部１７ａを外側摺動部２２と、内側摺動部２３と、に分割して摺動可能に形成することにより、梁部１７ａの長さが変更可能となり、通路１９ａの幅を自分の競技レベルに合わせて設定することができる。
【００３６】
なお、外側摺動部２２と内側摺動部２３の摺動を円滑にするため、内側摺動部２３の嵌入方向に沿った長さの方を外側摺動部２２より長く形成するのが望ましい。
【００３７】
また、内側摺動部２３に内側筒状部２１の短手方向に沿って目盛りを印刷しておけば、グリーンのカップの大きさに設定することが可能となり、より実践的なパッティング練習をすることができる。
【００３８】
本考案のゴルフボールケースの第３の実施形態について図面に基づいて説明する。
【００３９】
図７に示すとおり、ケース１ｂの筒状部１３は、分割可能に形成された四角筒状の第１の筒状部２０１及び四角筒状の第２の筒状部２１１と、第１の筒状部２０１及び第２の筒状部２１１に外嵌可能に形成された第３の筒状部３７と、で構成される。図８に示すとおり、筒状部１３には、第１の筒状部２０１及び第２の筒状部２１１には、線形成部３４がそれぞれ一つ形成され、二つの線形成部３４の間に筒状部１３を周方向に沿って一周する分割線３６がミシン目で形成されている。
【００４０】
図９（ａ）に示すとおり、第１の筒状部２０１は、後述する折り線部１４を屈曲させる際には線形成部３４を境界にして、側壁部１０側に形成される柱部１６と、開口部側に形成される第１の摺動部２２１と、で構成される。第２の筒状部２１１は、後述する折り線部１４を屈曲させる際には線形成部３４を境界にして、側壁部９側に形成される柱部１６と、開口部側に形成される第２の摺動部２３１と、で構成される。梁部１７ａは、図９（ａ）、（ｂ）、図１０に示すとおり、第１の摺動部２２１及び第２の摺動部２３１と、第１の摺動部２２１と、第２の摺動部２３１と、を連結してそれらに外嵌されて、第１の摺動部２２１及び第２の摺動部２３１に対して摺動可能な第３の筒状部３７と、に分割して構成されている。
【００４１】
以上の構成のケース１ｂの使用方法を以下に説明する。
【００４２】
ケース１ｂは、図７に示すとおり、分割可能に形成された第１の筒状部２０１及び第２の筒状部２１１が、第３の筒状部３７に外嵌されて包装されている。先ず、図示しない外包装を外し、第３の筒状部３７を一旦ケース１ｂから外し図８の状態にする。ケース１ｂの分割線３６を挟むように手で持ち、分割線３６を切断して、第１の筒状部２０１と、第２の筒状部２１１と、に分割する。
【００４３】
次に、図９（ａ）に示すとおり、ミシン目で形成された切り込み部１５を切断する。折り線部１４、１４を長尺壁部４の両端部が対向するように屈曲させて、第１の摺動部２２１と、第２の摺動部２３１と、一対の柱部１６、１６と、を形成する。図１０に示すとおり、第３の筒状部３７の長手方向の両端部に第１の摺動部２２１と、第２の摺動部２３１と、をそれぞれ内嵌させて、梁部１７ｂを形成する。この場合、第３の筒状部３７は、ケース１ｂと同じ材料を用いるのが望ましい。
【００４４】
さらに、梁部１７ｂの第１の摺動部２２１及び第２の摺動部２３１と、第３の筒状部３７と、を摺動させて通路１９ｂの幅をパッティング練習に適切な長さに形成して、設置面に設置する。パッティング練習が終わったら、上述した手順の逆の手順でケース１ｂ状態に戻してもよいし、ゴミとして捨ててもよい。
【００４５】
本実施形態のケース１ｂは、第１の摺動部２２１及び第２の摺動部２３１と、第３の筒状部３７と、に分割して摺動可能に形成することにより、梁部１７ｂの長さを変更可能となる。よって、通路１９ｂの幅を自分の競技レベルに合わせて設定することができ、より実践的なパッティング練習をすることができる。第３の筒状部３７をケース１ｂと分離して、構成することによって第２の実施形態のケース１ａを形成するのに比べ、ケース１ｂは通常のケースを形成すればよく、比較的形成が容易な四角筒状の第３の筒状部３７の形成の追加のみとなるので、製造工程を簡略化することができる。
【００４６】
本実施形態では、分割線３６は、ミシン目で形成されているがこれには、こだわらない。例えば、分割線３６をスリットで形成したり、印刷で表示して使用時にカッター等で切断したり、してもよい。
【００４７】
また、図１１に示すとおり、第３の筒状部３７を、第１の摺動部２２１及び第２の摺動部２３１に内嵌させて梁部１７ｂ形成してもよい。この場合には、第３の筒状部３７は、ケース１ｂより板厚を薄くする等して変形可能にするのが望ましい。
【００４８】
また、第３の筒状部３７を折り畳んでケース１ｂにゴルフボール１８と一緒に収納したり、ケース１ｂと外包装との間に収納したりしてもよい。
【００４９】
また、通路１９ｂの幅の長さを調節しやすくするため、第３の筒状部３７の短手方向に沿って目盛りを印刷してもよい。この場合、グリーンのカップの大きさに設定することが可能となり、より実践的なパッティング練習をすることができる。
【００５０】
本考案のゴルフボールケースの第４の実施形態について図面に基づいて説明する。
【００５１】
図１２（ａ）、（ｂ）に示すとおり、ケース１ｃには、長尺壁部４にその短手方向に沿って平行に折り線部１４ａ、１４ｂがそれぞれ設けられている。長尺壁部５、６、７には、切り込み部１５ａ、１５ｂそれぞれが設けられている。
【００５２】
通路１９ｃを形成した状態の一対の柱部１６、１６の一端には、図１４、１５、１６に示すとおり、設置面側に突出する突出部２４がそれぞれ設けられている。
【００５３】
突出部２４は、図１３に示すとおり、打ち抜いたブランクシート２ｂに形成された、対向する一対の長尺壁部５、７の長手方向における両端部にそれぞれ連接された内フラップ１２ｂと、長尺壁部６の長手方向における両端部に連接され、内フラップ１２ｂを覆うように折り込まれるように形成された側壁部９及び側壁部１０と、側壁部９及び側壁部１０の長尺壁部６に連接されていない側の端部に連接されるタック１１と、で構成されている。
【００５４】
側壁部９及び側壁部１０には、側壁部９及び側壁部１０が連接された長尺壁部６の短手方向に沿って底面形成線２５がそれぞれ設けられ、タック１１との境界には、折り罫線２６がそれぞれ設けられている。折り罫線２６の両端部には、長尺壁部６の短手方向に沿って係止切り込み２７が設けられている。
【００５５】
各内フラップ１２ｂには、内フラップ１２ｂが連接された長尺壁部５、７の短手方向に沿って底面形成線２５と同一直線上となるようにそれぞれ高さ調整線２８が設けられている。
【００５６】
以上の構成のケース１ｃの使用方法を以下に説明する。
【００５７】
図１２（ａ）、（ｂ）に示すように形成された、ケース１ｂの図示しない外包装を取る。側壁部９及び側壁部１０のいずれかを開放させて図示しないゴルフボール１８を一旦取り出す。図１７に示すとおり、ケース１ｃの側壁部９及び側壁部１０側の端部を左右の手でそれぞれ持ち、ミシン目で形成された切り込み部１５ａ、１５ｂのいずれかを選択して切断する。切断した切り込み部１５ａ、１５ｂと連結する折り線部１４ａ、１４ｂを長尺壁部４の両端部が対向するように折り曲げて、一対の柱部１６、１６と、梁部１７と、を形成する。
【００５８】
図１４、１５に示すとおり、側壁部９及び側壁部１０を、側壁部９及び側壁部１０が連接された長尺壁部６と略面一に配置して、それぞれの底面形成線２５をケース１ｃの中心線側にそれぞれ屈曲させて、側壁部９及び側壁部１０と、各タック１１と、で突出底面部３０を形成する。各内フラップ１２ｂを、各内フラップ１２ｂが連接された長尺壁部５、７と略面一にそれぞれ配置して、高さ調整線２８をケース１ｃの中心線側にそれぞれ屈曲させて、先端側に突出底面部３０を支持する突出底面支持部２９を形成する。図１８に示すとおり、突出底面支持部２９を係止切り込み２７に差し込んで、突出底面支持部２９と、突出底面部３０と、を係止して突出部２４をそれぞれ形成する。
【００５９】
上述のようにして形成されたケース１ｃを設置面に設置して、競技レベルに応じた通路１９ｃを形成して、パッティング練習をする。
【００６０】
本実施形態のケース１ｃは、屈曲させる折り線部１４ａ、１４ｂを選択することで、柱部１６、梁部１７の高さ及び幅を調節可能となる。よって、通路１９ｃの高さ及び幅を調節することができる。また、突出部２４を形成することで柱部１６高さ調節が可能となる。よって、通路１９ｃの高さを調節することができることとなるので競技レベルや、パッティング練習する場所の起伏に応じた、パッティング練習をすることができる。
【００６１】
本実施形態の構成としては、内フラップ１２ｂは、四つの長尺壁部４、５、６、７のうちの対向する一対の長尺壁部の両端部にそれぞれ連接されればよい。
【００６２】
また、一対の側壁部９及び側壁部１０は、内フラップ１２ｂが連接されていない長尺壁部のうちの一つの長尺壁部の長手方向における両端部に連接されるか、又は、一方の側壁部が、内フラップ１２ｂが連接されていない長尺壁部のうちの一つの長尺壁部の長手方向における一端部に連接されるとともに、他方の側壁部が、内フラップ１２ｂが連接されていない長尺壁部のうちの他の長尺壁部の長手方向における他端部に連接されていれば、本実施形態にはこだわらない。
【００６３】
また、係止切り込み２７は、後述する突出底面支持部２９と係止可能であれは、本実施形態には、こだわらない。例えば、側壁部９及び側壁部１０やタック１１に設けてもよい。
【００６４】
また、本実施形態のケース１ｃの変形例を図１４、１６に示す。図１４、１６の変形例では、切り込み部１５ａ、１５ｂの両方を切断して、折り線部１４ａ、１４ｂを両方屈曲させている。折り線部１４ａ、１４ｂと、長尺壁部４と、で形成される羽根元部３１と、各切り込み部１５ａ、１５ｂに切断された長尺壁部５、６、７によって略コの字状に形成される羽根枠部３２と、で略矩形状の羽根部３３、３３を形成する。羽根部３３、３３の位置を調節することで、柱部１６、梁部１７の高さ及び幅が調節可能となる。よって、通路１９ｃの高さ及び幅を調節することができる。この場合、上述した効果に加え装飾美を付加することができる。
【００６５】
また、羽根元部３１と羽根枠部３２の境界部分にミシン目、スリット等を設け羽根枠部３２を切り離してケース１ｃを開封するようにしてもよい。
【００６６】
本実施形態のケース１ｃの、突出部２４の変形例を図１９に示す。図１９の変形例では、内フラップ１２ｂは、側壁部９及び側壁部１０から遠い側の角部分を切り欠いて構成されている。
【００６７】
図１９のように、内フラップ１２ｂの角部分を切り欠いて構成する場合の突出部２４ｂの形成方法は、上述した突出部２４と同様に、突出底面支持部２９と、突出底面部３０と、を形成して、図２０に示すとおり、内フラップ１２ｂの切り欠かれた部分に合わせて折り罫線２６を屈曲させて、突出底面支持部２９とタック１１を係止することで突出部２４ｂを形成する。
【００６８】
突出部２４ｂを形成することで柱部１６の高さの調節が可能となり、通路１９ｃの高さを調節することができることになるので、競技レベルや、パッティング練習する場所の起伏に応じた、パッティング練習をすることができる。
【００６９】
突出部２４の他の変形例としては、突出底面支持部２９を設置面側に配置して突出底面支持部２９を係止切り込み２７に差し込んで、突出底面支持部２９と、突出底面部３０と、を上下逆に係止して突出部２４をそれぞれ形成することもできる。
【００７０】
本考案のいずれの実施形態においても、切り込み部１５は、ミシン目で形成されているがこれには、こだわらない。例えば、切り込み部１５をスリットで形成したり、長尺壁部５、６、７を切断して設けたり、してもよい。
【符号の説明】
【００７１】
１  ゴルフボールケース
４  長尺壁部
５  長尺壁部
６  長尺壁部
７  長尺壁部
９  側壁部
１０  側壁部
１１  タック
１２ｂ  内フラップ
１４  折り線部
１４ａ  折り線部
１４ｂ  折り線部
１５  切り込み部
１５ａ  切り込み部
１５ｂ  切り込み部
１６  柱部
１７  梁部
１７ａ  梁部
１７ｂ  梁部
１８  ゴルフボール
１９  通路
１９ａ  通路
１９ｂ  通路
１９ｃ  通路
２０  外側筒状部
２０１  第１の筒状部
２１  内側筒状部
２１１  第２の筒状部
２２  外側摺動部
２２１  第１の摺動部
２３  内側摺動部
２３１  第２の摺動部
２４  突出部
２４ｂ  突出部
２５  底面形成線
２８  高さ調整線
２９  突出底面支持部
３０  突出底面部
３４  線形成部
３７  第３の筒状部
【図１】
0003156160.tif 000003
【図２】
0003156160.tif 000004
【図３】
0003156160.tif 000005
【図４】
0003156160.tif 000006
【図５】
0003156160.tif 000007
【図６】
0003156160.tif 000008
【図７】
0003156160.tif 000009
【図８】
0003156160.tif 000010
【図９】
0003156160.tif 000011
【図１０】
0003156160.tif 000012
【図１１】
0003156160.tif 000013
【図１２】
0003156160.tif 000014
【図１３】
0003156160.tif 000015
【図１４】
0003156160.tif 000016
【図１５】
0003156160.tif 000017
【図１６】
0003156160.tif 000018
【図１７】
0003156160.tif 000019
【図１８】
0003156160.tif 000020
【図１９】
0003156160.tif 000021
【図２０】
0003156160.tif 000022